(57)【特許請求の範囲】
【請求項１】
支柱の上端部に取り付けるキャップ本体と、該キャップ本体を支柱に内部から固定する固定金具とを備え、該キャップ本体は該支柱の上端部を被覆するキャップ部と、該キャップ部の内側に同軸に溶接されたボルト部材とを備え、該固定金具は該支柱の内部に取り付ける連結部と、該連結部に溶接されたナットとを備え、該ナットは該支柱の軸位置に在り、該ボルトは該ナットに螺合していることを特徴とする支柱用キャップ。
【請求項２】
前記ボルト部材の先端部は潰されていることを特徴とする請求項１に記載の支柱用キャップ。
【請求項３】
前記連結部は、前記ボルト部材と直交する略板状部材であり、該略板状部材は、前記支柱の内径より大きく、該略板状部材の端部は、前記キャップ本体側に傾いていることを特徴とする請求項１又は２に記載の支柱用キャップ。
【請求項４】
前記連結部は、前記支柱に貫通した状態で取り付けられている横ビーム取付ボルトと、該支柱の内部において該横ビーム取付ボルトに係合する係合金具とからなり、前記ナットは該係合金具に溶接されていることを特徴とする請求項１〜３のいずれかに記載の支柱用キャップ。
【請求項５】
キャップ本体の内側にボルト・ナットで連結させた固定金具を支柱の頂部から内部に挿入し、該固定金具を該支柱の内部に固定させ、該キャップ本体を回転させて該キャップ本体と該固定金具との間隔を狭めさせ該支柱の頂部に該キャップ本体を固定させるようにしたことを特徴とする支柱用キャップの取付方法。
【発明の詳細な説明】
【０００１】
【発明の属する技術分野】
この発明は道路などに設置される防護柵の支柱の先端部を保護するための支柱用キャップとその取付方法に関するものである。
【０００２】
【従来の技術】
防護柵の支柱の先端部を保護するために支柱用キャップが取り付けられる。
【０００３】
従来の支柱用キャップは、種々の構造のものがあり、図４は従来の支柱用キャップの形態を示した説明図である。また、図５は従来の支柱用キャップの他の形態を示した説明図であり、図６はその底面図である。また、図７は従来の支柱用キャップの他の形態を示した説明図であり、図８はそのＡ−Ａ線矢視断面図である。
【０００４】
図４の支柱用キャップは、鋼管の上端にキャップを取り付けただけのものである。
【０００５】
図５及び図６の支柱用キャップは、キャップ内部に固定金具が溶接されているものである。この固定金具には、板状部材が溶接され、板状部材には複数の側板が設けられ、板状部材の端部はキャップ側に傾いている。
【０００６】
図７及び図８の支柱用キャップは、キャップ内部に係合金具が溶接されたものである。この係合金具は、鋼管を貫通した状態で取り付けられた横ビーム取り付けボルトと係合する。
【０００７】
【発明が解決しようとする課題】
ところで、防護柵は支柱を有しており、この支柱を土中に打ち込んで設置する際には、支柱の上端からハンマーなどで打ち込むため、打ち込んだときにキャップが変形してしまう。
【０００８】
キャップが変形すると塗装が剥離してしまうため、風雨にさらされてキャップから錆びてしまう恐れがある。
【０００９】
特に、図４に示された支柱用キャップは、支柱の土中への打ち込みによりキャップが変形したり、キャップの塗装が剥離し、支柱ひいては防護柵の外観が見苦しくなるという問題があった。
【００１０】
また、図７及び図８に示された支柱用キャップは、連結金具と横ビーム取付ボルトの係合作業の都合上、ぴったりのサイズに作ることができないので、取り付けた後の支柱用キャップのがたつきを無くすことができないという問題があった。
【００１１】
そこで、ハンマーなどで支柱を打ち込んだ後、キャップにがたがなく安価な支柱用キャップの開発が望まれていた。
【００１２】
【課題を解決するための手段】
上記課題を解決するために本発明に係る支柱用キャップは、支柱の上端部に取り付けるキャップ本体と、キャップ本体を支柱に内部から固定する固定金具とを備え、キャップ本体は支柱の上端部を被覆するキャップ部と、キャップ部の内側に同軸に溶接されたボルト部材とを備え、固定金具は支柱の内部に取り付ける連結部と、連結部に溶接されたナットとを備え、ナットは支柱の軸位置に在り、ボルト部材はナットに螺合していることを特徴とする。
【００１３】
また、ボルト部材の先端部は、ナットの欠落防止のために潰されていることを特徴とする。また、ボルト部材の先端部にピンを貫通させてナットの欠落を防止しても良い。
【００１４】
また、前記連結部は、ボルト部材と直交する略板状部材であり、略板状部材は、支柱の内径より大きく、略板状部材の端部はキャップ本体側に傾いていることを特徴とする。
【００１５】
また、前記連結部は、支柱に貫通した状態で取り付けられている横ビーム取付ボルトと、支柱の内部において横ビーム取付ボルトに係合する係合金具とからなり、ナットは該係合金具に溶接されていることを特徴とする。
【００１６】
また、前記課題を解決するため、本発明に係る支柱用キャップの取付方法は、キャップ本体の内側にボルト・ナットで連結させた固定金具を支柱の頂部から内部に挿入し、固定金具を支柱の内部に固定させ、キャップ本体を回転させてキャップ本体と固定金具との間隔を狭めさせ支柱の頂部にキャップ本体を固定させるようにしたことを特徴とする。
【００１７】
【発明の実施の形態】
本発明に係る支柱用キャップ２について、図を参照にしながら説明する。本発明に係る支柱用キャップ２は、支柱３０の上端部に取り付けるキャップ本体４と、キャップ本体４を支柱３０に内部から固定する固定金具１２とを備えており、キャップ本体４は支柱３０の上端部を被覆するキャップ部６と、キャップ部６の内側に同軸に溶接されたボルト部材８とを備えている。
【００１８】
ここで、本発明に係る支柱３０は鋼管が好ましいが、他にもアルミ製、強化プラスチック製、カーボン製のものも使用することができ、種々の条件を考慮して適宜使用すれば良い。
【００１９】
本発明に係るボルト部材８は、図示されているように、棒部材１０がキャップ本体４に固定され、端部近傍にボルトが設けられている。このボルト部材８は、棒部材１０の先端にボルトを溶接しても良いし、棒部材１０の先端をボルト状に形成しても良く、適宜設定すれば良い。また、棒部材１０はキャップ本体４に溶接されているのが好ましい。
【００２０】
また、本発明に係る固定金具１２は支柱３０の内部に取り付ける連結部１４と、連結部１４に溶接されたナット１６とを備え、ナット１６は支柱３０の軸位置に在り、ボルト部材８はナット１６に螺合している。
【００２１】
上記の構造により、本発明に係る支柱用キャップ２は、ハンマーなどで支柱３０を土中に打ち込んだ後に、キャップ本体４を工具で挟んで回転させてボルト及びナット１６を螺合することにより、連結部１４は引き上げられ、支柱３０にキャップ本体４を固定でき、がたつきをなくすことができる。
【００２２】
図１は、本発明に係る支柱用キャップ２の一実施の形態を示した説明図であり、図２はその底面図である。この支柱用キャップ２は、連結部１４がボルト部材８と直交する略板状部材１８で、略板状部材１８にナット１６が溶接されている。また、略板状部材１８は、支柱３０の内径より大きく、略板状部材１８の端部はキャップ本体４側に傾いている。
【００２３】
図中の略板状部材１８は、本体２０に４基の側板２２が等間隔に配置されているが、側板２２の数は適宜設定すれば良く、側板２２は等間隔に配置されていると更に良い。また、側板２２の基部は適度な角度を有した屈曲部２４を有しているが、この屈曲部２４の角度は適宜設定すれば良い。また、略板状部材１８は、支柱３０の内径よりも大きいものが良いが、大きさについては、屈曲部２４の角度や支柱３０の内径などの種々の条件を考慮して適宜設定すれば良い。
【００２４】
この支柱用キャップ２を支柱３０に取り付け、回転させてボルトを締めると、略板状部材１８が支柱３０の内径よりも大きいため、側板２２が屈曲部２４で屈曲されて支柱３０側に反発する。よって、固定金具１２は支柱３０内に固定されて外れにくくなる。更に、側板２２の端部がキャップ本体４側に傾いており、支柱３０から外そうとするとストッパーの役割をするため、固定金具１２が支柱３０から外れれにくくなる。よって、固定金具１２が支柱３０内に固定されるため、キャップがガタついても、ナット１６とボルト部材８を螺合し直すことで、キャップを支柱３０に固定し直すことができる。
【００２５】
次に、図３は、本発明に係る支柱用キャップ２の一実施の形態を示した説明図である。この連結部１４は、支柱３０に貫通した状態で取り付けられている横ビーム取り付けボルト２６と、支柱３０の内部において横ビーム取り付けボルト２６に係合する係合金具２８とからなり、ナット１６は係合金具２８に溶接されている。
【００２６】
この支柱用キャップ２を支柱３０に取り付けると、支柱３０を貫通している横ビーム取り付けボルト２６に係合金具２８が係合するため、キャップがガタついても、連結部１４のナット１６とボルト部材８を螺合することで、キャップ本体４を支柱３０に固定することができる。
【００２７】
また、係合金具２８と横ビーム取付ボルトがぴったりのサイズで無くても、ボルト部材８及びナット１６を螺合することで、ぴったりに係合することができるため、横ビーム取り付けボルト２６を有した支柱３０の中で種々のサイズに使用することができる汎用性を有した支柱用キャップ２を提供することができる。
【００２８】
また、本発明に係るボルト部材８の先端部は潰されているのが好ましい。これにより、ナット１６がボルト部材８から外れなくなるため、支柱用キャップ２が支柱３０から外れなくなる。また、この他にも、例えばボルト部材８の先端部にピンを貫通させても良く、ナット１６がボルト部材８から外れなくする様なストッパーなどを設けても良い。
【００２９】
次に、本発明に係るキャップの取付方法について説明する。まず、キャップ本体４の内側に設けられたボルト部材８とナット１６を螺合させる。この時、ボルト部材８の先端部を潰すとナット１６の欠落を防止することができる。
【００３０】
次に、固定金具１２を支柱の頂部から内部に挿入し、固定金具１２を支柱の内部に固定させる。この時、固定金具１２が図１に示されている形状の場合は、キャップ本体４ごとハンマーなどで打ち込んで固定金具１２を支柱に固定する。また、固定金具１２が図３に示されている形状の場合は、固定金具１２を支柱に挿入した後、横ビーム取り付けボルト２６を係合金具２８に貫通させて固定金具１２を固定する。
【００３１】
次に、キャップ本体４を回転させると、ボルト部材８・ナット１６によってキャップ本体４と固定金具１２の間隔が狭まる。固定金具１２は支柱内部で固定されているため、キャップ本体４が支柱側に移動して支柱の頂部に固定される。
【００３２】
また、何等かの原因でキャップ本体４がガタついたりしても、再度キャップ本体４を回転させれば、キャップ本体４を支柱の頂部に固定し直すことができる。
【００３３】
【発明の効果】
本発明に係る支柱用キャップは、キャップを回転させると支柱用キャップが支柱に密着する方向に移動するように構成されているので、支柱用キャップを回転させることにより支柱用キャップと支柱との間のガタ付きを無くすことができるという効果がある。
【００３４】
また、この発明は支柱用キャップのボルト部の先端部を潰してあるので、該支柱用キャップを回転させて外そうとしても該ボルト部の先端部が連結金具から外れず、従って、支柱用キャップが支柱から簡単に取れないという効果がある。
【００３５】
また、この発明はキャップと連結金具の連結がボルト及びナットを使用した非常に簡単な構造であるため、支柱用キャップの製造コストが安価になるという効果がある。
【図面の簡単な説明】
【図１】本発明に係る支柱用キャップの一実施の形態を示した説明図である。
【図２】本発明に係る支柱用キャップの一実施の形態を示した底面図である。
【図３】本発明に係る支柱用キャップの一実施の形態を示した説明図である。
【図４】従来の支柱用キャップの一実施の形態を示した説明図である。
【図５】従来の支柱用キャップの一実施の形態を示した説明図である。
【図６】従来の支柱用キャップの一実施の形態を示した底面図である。
【図７】従来の支柱用キャップの一実施の形態を示した説明図である。
【図８】従来の支柱用キャップのＡ−Ａ線矢視断面図である。
【符号の説明】
２    支柱用キャップ
４    キャップ本体
６    キャップ部
８    ボルト部材
１０  棒部材
１２  固定金具
１４  連結部
１６  ナット
１８  略板状部材
２０  本体
２２  側板
２４  屈曲部
２６  横ビーム取り付けボルト
２８  係合金具
３０  鋼管
【図１】
0003980358.tif 000002
【図２】
0003980358.tif 000003
【図３】
0003980358.tif 000004
【図４】
0003980358.tif 000005
【図５】
0003980358.tif 000006
【図６】
0003980358.tif 000007
【図７】
0003980358.tif 000008
【図８】
0003980358.tif 000009